(57)【要約】【課題】狭隘部における持ち運びが容易な給水装置、給水装置の搬送方法、及び給水装置の搬送用治具の提供。【解決手段】液体を加圧するポンプ２と、ポンプ２を駆動する電動機と、ポンプ２を制御するインバータ装置４と、を有し、電動機は、ポンプ２のポンプケーシング３０に接続され、ポンプケーシング３０とインバータ装置４が、ユニットベース５を介して接続されている給水装置１であって、ポンプケーシング３０に、搬送補助手段としての搬送用治具取付部８０が設けられている。【選択図】図２
2019015232.tif 000002
【特許請求の範囲】
【請求項１】
液体を加圧するポンプと、
前記ポンプを駆動する電動機と、
前記ポンプを制御するインバータ装置と、を有し、
前記電動機は、前記ポンプのポンプケーシングに接続され、
前記ポンプケーシングと前記インバータ装置が、ユニットベースを介して接続されている給水装置であって、
前記ポンプケーシングに、搬送補助手段が設けられている、ことを特徴とする給水装置。
【請求項２】
前記搬送補助手段は、前記ポンプケーシングの上部に設けられている、ことを特徴とする請求項１に記載の給水装置。
【請求項３】
前記搬送補助手段は、前記ポンプケーシングに一体で形成された搬送用取手部を有する、ことを特徴とする請求項１または２に記載の給水装置。
【請求項４】
前記搬送補助手段は、搬送用治具と螺合可能な搬送用治具取付部を有する、ことを特徴とする請求項１〜３のいずれか一項に記載の給水装置。
【請求項５】
前記搬送用治具は、被吊具である、ことを特徴とする請求項４に記載の給水装置。
【請求項６】
前記搬送補助手段は、前記ポンプケーシングの呼び水口に設けられた呼び水栓兼搬送用治具を有する、ことを特徴とする請求項１〜５のいずれか一項に記載の給水装置。
【請求項７】
前記搬送補助手段は、紐状部材を介して前記ポンプケーシングに接続されている紐接続搬送用治具を有する、ことを特徴とする請求項１〜６のいずれか一項に記載の給水装置。
【請求項８】
液体を加圧するポンプと、
前記ポンプを駆動する電動機と、
前記ポンプを制御するインバータ装置と、を有し、
前記電動機は、前記ポンプのポンプケーシングに接続され、
前記ポンプケーシングと前記インバータ装置は、ユニットベースを介して接続されており、
前記ポンプケーシングには、ネジ部が設けられた呼び水口と、前記呼び水口に螺合する呼び水栓と、が設けられている給水装置の搬送方法であって、
前記呼び水栓を取り外し、前記呼び水口に搬送用治具を取り付け、前記ポンプケーシングを持ち上げて所定の場所まで給水装置を搬送する、ことを特徴とする給水装置の搬送方法。
【請求項９】
液体を加圧するポンプと、
前記ポンプを駆動する電動機と、
前記ポンプを制御するインバータ装置と、を有し、
前記電動機は、前記ポンプのポンプケーシングに接続され、
前記ポンプケーシングと前記インバータ装置は、ユニットベースを介して接続されており、
前記ポンプケーシングには、ネジ部が設けられた呼び水口と、前記呼び水口に螺合する呼び水栓と、が設けられている給水装置に用いるための搬送用治具であって、
前記搬送用治具は、前記呼び水口に螺合可能なネジ部を有する、ことを特徴とする給水装置の搬送用治具。
【発明の詳細な説明】
【技術分野】
【０００１】
本発明は、給水装置、給水装置の搬送方法、及び給水装置の搬送用治具に関するものである。
【背景技術】
【０００２】
従来から、給水装置として、例えば、特許文献１に記載されているようなカスケードポンプ（渦流ポンプ、ウェスコポンプともいう）が知られている。このカスケードポンプは、水を汲み上げるポンプと、ポンプを駆動する電動機とを有する。また、昨今では市場の省エネに対する要求の高まりから、特許文献１のように、電動機に電力を供給するインバータ装置を更に有する給水装置が主流となってきている。これらポンプ、電動機、インバータ装置は、ユニットベースにて設置場所が区画できるように配置されるとともに、雨風等の外的環境から保護するためにユニットカバーに覆われている。また、この給水装置は、主に一般家庭にて用いられるため、コンパクト化と持ち運びの利便性が重視される。
【０００３】
図１１は、従来の給水装置１−１を示す（ａ）正面図、（ｂ）側面図である。
図１１に示す給水装置１−１は、地表面に設置されたユニットベース５−１と、ユニットベース５−１に着脱可能に固定されたユニットカバー６−１と、を有する。ユニットベース５の側面には、取手溝５１−１が形成されている。取手溝５１−１は、図１１（ｂ）に示すように、地面とユニットベース５−１との間に、ユニットベース５−１に手を掛けるための空間を形成する溝（切り欠き）である。この取手溝５１−１は、図１１（ａ）に示すように、ユニットベース５の互いに対向する側面に形成されている。
【先行技術文献】
【特許文献】
【０００４】
【特許文献１】特開２０１５−２１８６５８号公報
【発明の概要】
【発明が解決しようとする課題】
【０００５】
ところで、ユニットベース５−１には、ポンプ、電動機、インバータ装置といった主要な部品が固定されており、取手溝５１−１を介してユニットベース５−１の裏側に両側から手を入れることで全体を持ち運ぶことができる。しかしながら、家庭用の給水装置の設置場所は、産業用ポンプが設置されるポンプ室のような環境は望めない場合が殆どであり、家屋と家屋の狭隘部や、降雪地帯では地面に給水装置ごと埋設される場合もある。このような場合に、ユニットベース５−１の両側に手を入れる持ち方だと、作業者の両腕が広がって狭隘部を通れなかったり、給水装置を設置する際にはユニットベース５−１と地面との間に指先を挟まないようによく注意する必要があった。
【０００６】
本発明は、上記問題点に鑑みてなされたものであり、狭隘部における持ち運びが容易な給水装置、給水装置の搬送方法、及び給水装置の搬送用治具の提供を目的とする。
【課題を解決するための手段】
【０００７】
（１）本発明の一態様に係る給水装置は、液体を加圧するポンプと、前記ポンプを駆動する電動機と、前記ポンプを制御するインバータ装置と、を有し、前記電動機は、前記ポンプのポンプケーシングに接続され、前記ポンプケーシングと前記インバータ装置が、ユニットベースを介して接続されている給水装置であって、前記ポンプケーシングに、搬送補助手段が設けられている。
この構成によれば、電動機がポンプのポンプケーシングに接続され、ポンプケーシングとインバータ装置がユニットベースを介して接続されているため、ポンプケーシングを中心に主要な部品が接続されている。よって、このポンプケーシングに搬送補助手段を取り付けることで、ポンプケーシングを中心として装置全体を持ち運ぶことができる。ポンプケーシングは、ユニットベースよりも高い位置にあるため手を掛けることが容易であり、給水装置を設置する際には地面との間で指先を挟む心配がない。また、ポンプケーシングは、液体を加圧するポンプ室を形成する耐圧部材であり、その強度は、持ち運びの際に装置全体を十分に支えることができる。
【０００８】
（２）上記（１）に記載された給水装置であって、前記搬送補助手段は、前記ポンプケーシングの上部に設けられていてもよい。
この構成によれば、ポンプケーシングの上部は、装置全体としての上部であるため、持ち運びの際に、搬送補助手段に簡単に手を掛けることができる。
【０００９】
（３）上記（１）または（２）に記載された給水装置であって、前記搬送補助手段は、前記ポンプケーシングに一体で形成された搬送用取手部を有していてもよい。
この構成によれば、搬送補助手段としての搬送用取手部が、強度が確保された耐圧部材であるポンプケーシングと一体に形成されているため、搬送用取手部の強度の確保が容易になり、また、搬送用取手部が追加されることでポンプケーシング自体の強度も補強される。
【００１０】
（４）上記（１）〜（３）に記載された給水装置であって、前記搬送補助手段は、搬送用治具、及び、前記搬送用治具と螺合可能な搬送用治具取付部を有していてもよい。
この構成によれば、ポンプケーシングに対して搬送用治具の着脱が容易になり、例えば、取り外した搬送用治具を複数の給水装置の持ち運びに使い回すことができる。また、ユニットカバーを取り付ける場合には、ポンプケーシングから搬送用治具を取り外すことで、ユニットカバーとの干渉を回避することができる。
【００１１】
（５）上記（４）に記載された給水装置であって、前記搬送用治具は、被吊具であってもよい。
この構成によれば、被吊具を吊り上げて、ポンプケーシングを中心に装置全体を持ち運ぶことができる。
【００１２】
（６）上記（１）〜（５）に記載された給水装置であって、前記搬送補助手段は、前記ポンプケーシングの呼び水口に設けられた呼び水栓兼搬送用治具を有していてもよい。
この構成によれば、ポンプケーシングの呼び水口に呼び水栓兼搬送用治具を設けているため、ポンプケーシングに搬送用治具取付部を設けることなく、ポンプケーシングを中心として装置全体を持ち運ぶことができる。
【００１３】
（７）上記（１）〜（６）に記載された給水装置であって、前記搬送補助手段は、紐状部材を介して前記ポンプケーシングに接続されている紐接続搬送用治具を有していてもよい。
この構成によれば、ポンプケーシングから紐状部材を垂らしておくことで、装置全体の高さを出すことなく、紐接続搬送用治具を取り付けたままにすることができる。
【００１４】
（８）本発明の一態様に係る給水装置の搬送方法は、液体を加圧するポンプと、前記ポンプを駆動する電動機と、前記ポンプを制御するインバータ装置と、を有し、前記電動機は、前記ポンプのポンプケーシングに接続され、前記ポンプケーシングと前記インバータ装置は、ユニットベースを介して接続されており、前記ポンプケーシングには、ネジ部が設けられた呼び水口と、前記呼び水口に螺合する呼び水栓と、が設けられている給水装置の搬送方法であって、前記呼び水栓を取り外し、前記呼び水口に搬送用治具を取り付け、前記ポンプケーシングを持ち上げて所定の場所まで給水装置を搬送する。
この手法によれば、ポンプケーシングに設けられた呼び水口に螺合する呼び水栓を取り外し、呼び水口に設けられたネジ部を利用して搬送用治具を取り付けるため、ポンプケーシングに搬送用治具、若しくは、搬送用治具取付部を追加で設けることなく、ポンプケーシングを中心として装置全体を持ち運ぶことができる。
【００１５】
（９）本発明の一態様に係る給水装置の搬送用治具は、液体を加圧するポンプと、前記ポンプを駆動する電動機と、前記ポンプを制御するインバータ装置と、を有し、前記電動機は、前記ポンプのポンプケーシングに接続され、前記ポンプケーシングと前記インバータ装置は、ユニットベースを介して接続されており、前記ポンプケーシングには、ネジ部が設けられた呼び水口と、前記呼び水口に螺合する呼び水栓と、が設けられている給水装置に用いるための搬送用治具であって、前記搬送用治具は、前記呼び水口に螺合可能なネジ部を有する。
この構成によれば、ポンプケーシングに設けられた呼び水口に螺合する呼び水栓を取り外し、呼び水口に設けられたネジ部に搬送用治具のネジ部を螺合させて取り付けることができる。また、呼び水口は、一般に呼び水を注げる程度の大きな径を有しているため、その呼び水口に螺合するネジ部の径も大きく、搬送用治具の強度の確保も容易になる。
【発明の効果】
【００１６】
上記本発明の態様によれば、狭隘部における持ち運びが容易な給水装置、給水装置の搬送方法、及び給水装置の搬送用治具を提供できる。
【図面の簡単な説明】
【００１７】
【図１】一実施形態に係る給水装置１の設置例を示す概念図である。
【図２】一実施形態に係る給水装置１のユニットカバー６内部の構造を示す正面図である。
【図３】図２に示すポンプケーシング３０の内部構造を示す縦断面図である。
【図４】一実施形態に係る給水装置１を示す背面側斜視図である。
【図５】一実施形態に係るポンプケーシング３０の上部の構成を示す正面側斜視図である。
【図６】一実施形態に係る給水装置１の変形例に係る給水装置１Ａのポンプケーシング３０の内部構造を示す縦断面図である。
【図７】図６に示すポンプケーシング３０の上部の構成を示す正面側斜視図である。
【図８】一実施形態に係る給水装置１の変形例に係る給水装置１Ｂのポンプケーシング３０の上部の構成を示す正面側斜視図である。
【図９】図８に示すポンプケーシング３０の矢視Ａ−Ａ断面図である。
【図１０】一実施形態に係る給水装置１の変形例に係る給水装置１Ｃを示す正面図である。
【図１１】従来の給水装置を示す（ａ）正面図、（ｂ）側面図である。
【発明を実施するための形態】
【００１８】
以下、本発明の一実施形態について、図面を参照して説明する。
【００１９】
図１は、一実施形態に係る給水装置１の設置例を示す概念図である。
図１に示す設置例では、給水装置１は、地表面１００に形成された窪み１０１に埋設されている。窪み１０１の側面は、例えば、土管などで形成されており、窪み１０１の開口には、板体１０１ａが載置されている。この窪み１０１の深さは、給水装置１の全高よりも少し大きい程度（例えば５０ｃｍ程度）であり、給水装置１の側面と窪み１０１の側面との間の隙間は、作業者の手が入る程度である。このように設置された給水装置１は、水道本管、井戸または受水槽などの給水源１０２と接続され、給水先の一例である家屋１０３内の蛇口１０４などに給水を行う。
【００２０】
図２は、一実施形態に係る給水装置１のユニットカバー６内部の構造を示す正面図である。図３は、図２に示すポンプケーシング３０の内部構造を示す縦断面図である。
図２に示すように、給水装置１は、水を汲み上げるポンプ２と、ポンプ２の背面側に設けられ、ポンプ２を駆動する電動機３（図２において不図示、後述する図４参照）と、ポンプ２を制御するインバータ装置４と、を有する。電動機３は、ポンプ２に固定されており、ポンプ２及びインバータ装置４は、ユニットベース５上に固定されている。ユニットカバー６は、ユニットベース５上のポンプ２、電動機３、インバータ装置４を覆っている。ユニットベース５及びユニットカバー６は、合成樹脂製である。
【００２１】
ポンプ２は、摩擦ポンプとも称されるカスケードポンプであって、図３に示すように、羽根車２０と、羽根車２０を収納するポンプ室３１を形成するポンプケーシング３０と、を有する。ポンプケーシング３０の正面側には、図２に示すように、ポンプケーシングカバー５０が取り付けられており、これを取り外すと羽根車２０にアクセスすることができる。羽根車２０は、図３に示すように、周縁部に多数の溝２１が切られた円板状に形成されており、その周縁部によって、ポンプ室３１に存在する水を、ほぼ１回転させながら昇圧させるものである。
【００２２】
このポンプ２は小型であるが、１個の羽根車２０で数段の渦巻ポンプに匹敵する揚程を得られ、小容量高揚程の目的に適している。また、カスケードポンプは、自吸性を有するので、ポンプ２よりも低い位置に設置された受水槽に蓄えた水や井戸水を汲み上げるのに適している。
電動機３は、羽根車２０を回転させることによりポンプ２を駆動させる。インバータ装置４は、ポンプ２を制御する。本実施形態では、電動機３の駆動は、インバータ装置４によって制御されており、ポンプ２の回転速度の可変速運転が可能とされている。ここで、インバータ装置４にて可変速運転する必要がない場合は、インバータ装置４は可変速手段を有さなくてもよい。
【００２３】
図２に示すように、給水装置１の正面には、ユニットカバー６から露出する吸込口７と、吐出し口８とが設けられている。吸込口７は、図３に示すポンプケーシング３０の内部に形成された内部流路３２の一端部３２ａと連通し、吐出し口８は、この内部流路３２の他端部３２ｂと連通している。内部流路３２には、ポンプ室３１と、気水分離室３３とが形成されている。
【００２４】
内部流路３２のうち、一端部３２ａからポンプ室３１までの吸込流路３４には、フローチェッキ弁３５が設けられている。フローチェッキ弁３５は、ポンプ室３１よりも高い位置に設けられ、ポンプ２の駆動に先立ち、ポンプ室３１の内部を満水させて自吸に必要な水位を確保すると共に、ポンプ２の停止時の水の逆流を防止し、常にポンプ室３１を満水にする役割を有する。すなわち、フローチェッキ弁３５は、ポンプ２の停止時、自重によって吸込流路３４を閉じ、ポンプ２の駆動時には、吸込流路３４を上ってくる水（始動時は空気を含む）によって押し上げられて吸込流路３４を開く。
【００２５】
ポンプ室３１の下流側には、気水分離室３３が配置されている。内部流路３２のうち、ポンプ室３１と気水分離室３３との間の接続流路３６には、ポンプ室３１から吐出された液体が衝突するバッフル３７が配置されている。気水分離室３３の底部には、ポンプ室３１に連通する孔部３３ａが形成されている。孔部３３ａは、ポンプ２の始動時の自吸運転時に、気水分離室３３で空気と分離した水を、ポンプ室３１に再び戻すものであり、これによりポンプ室３１における負圧を発生させ、吸込流路３４内の空気をなくし、水を吸い上げる。
【００２６】
気水分離室３３の上方には、呼び水口３８が形成されている。呼び水口３８は、呼び水栓３９によって閉止されている。呼び水栓３９は、ポンプ２の設置時等でポンプケーシング３０内に水が満たされていない状態で、且つ、ポンプ２の始動前に開けられ、呼び水口３８から呼び水を注水することにより、気水分離室３３は呼び水時水位４０まで満水となる。上述したポンプ２の駆動によって、自吸運転が行われ、吸込流路３４内の空気がなくなり、水が上がってくると、自吸運転は終わり、気水分離室３３及び気水分離室３３より下流側が水で満たされた後は、ポンプ２の駆動によって揚液運転がなされる。
【００２７】
内部流路３２のうち、気水分離室３３から他端部３２ｂまでの吐出流路４１には、圧力センサ４２が設けられている。圧力センサ４２は、呼び水時水位４０よりも上方に配置され、自吸運転が完了し、水で満たされた吐出流路４１の圧力を検出する。圧力センサ４２の検出結果は、インバータ装置４に出力され、インバータ装置４は、公知の吐出圧一定制御や推定末端圧一定制御等の目標圧力と当該検出結果に基づいて電動機３に電力を供給し、電動機３の駆動を制御する。
【００２８】
また、吐出流路４１には、圧力タンク４５（後述する図４参照）が設けられている。圧力タンク４５は、耐圧容器内にゴム製のブラダが内蔵されており、ポンプ２の吐出圧力が上昇するとブラダの外側の空気を圧縮し水が加圧状態で貯留される。また、例えば、水の使用に伴い、吐出流路４１内の圧力が低下するにつれて、圧縮された空気が膨張し、貯留された水を吐出流路４１に押し出す。このようにして、ポンプ２の起動直後で、給水に十分な回転速度まで上昇していなくても、しばらくは圧力タンク４５から吐出流路４１に水を供給することができる。
【００２９】
図４は、一実施形態に係る給水装置１を示す背面側斜視図である。図５は、一実施形態に係るポンプケーシング３０の上部の構成を示す正面側斜視図である。
図４に示すように、電動機３は、ポンプケーシング３０の背面３０ｂ２に接続されている。この電動機３は、永久磁石型（ＰＭ型）電動機であり、全閉外扇型電動機である。全閉外扇型電動機とは、電動機本体６０が密閉構造を有し、かつ冷却ファン６１がモータケーシングの外に備えられた電動機である。このような永久磁石型電動機は、誘導型電動機に比べ小型且つ軽量である。
【００３０】
電動機３は、全閉構造の電動機本体６０と、電動機本体６０の図示しない回転軸（出力軸）と連結されて駆動する冷却ファン６１と、を有する。電動機本体６０は、その全体が略円柱形状のモータケーシングで密閉された構造を有しており、電動機本体６０の内部は、外部環境から隔離されている。電動機本体６０の内部には、回転軸に装着されて回転する回転子と、それを囲んで回転磁界を形成する固定子（いずれも不図示）が設けられている。電動機本体６０のモータケーシングは、例えば鋳鉄等の剛性を有する材料から形成されている。
【００３１】
冷却ファン６１は、ポンプ２に固定される電動機本体６０の一端部とは反対側の、電動機本体６０の他端部に固定されたファンカバー６２を有する。ファンカバー６２の内部には、電動機本体６０の回転軸に連結された図示しないファンが収容されている。このファンカバー６２は、有底筒状に形成され、電動機本体６０の他端部に外装されている。ファンカバー６２には、空気吸込孔６３と、第１空気吐出孔６４と、第２空気吐出孔６５と、が形成されている。
【００３２】
空気吸込孔６３は、有底筒状のファンカバー６２の底部を貫通して形成されており、電動機本体６０の他端部の端面側からファンカバー６２の内部に空気を取り込む。第１空気吐出孔６４は、ファンカバー６２の筒部の内周面と電動機本体６０の外周面との間の環状の隙間（空間）によって形成されており、電動機本体６０の外周面に沿って空気を吐出する。第２空気吐出孔６５は、ファンカバー６２の筒部を径方向に貫通して形成されており、インバータ装置４の冷却面４ａに向かって空気を吐出する。
【００３３】
インバータ装置４は、複数の放熱フィン７０から構成された冷却面４ａを有する。冷却面４ａは、ユニットベース５に対して垂直に立設した垂直面であり、複数の放熱フィン７０が上下方向に平行に延びている。これら放熱フィン７０は、放熱フィンベース７１と一体に形成されている。放熱フィン７０及び放熱フィンベース７１は、熱伝導率の高い材料であるアルミニウム等の金属で形成することが好ましい。放熱フィンベース７１は、インバータ装置４のインテリジェントパワーモジュールやＣＰＵ等の発熱部を埋め込んだ樹脂モールド部を覆っている。
【００３４】
ユニットベース５は、給水装置１が設置される地面に対向しており、給水装置１の接地面を区画している。このユニットベース５の側面には、取手溝５１が形成されている。取手溝５１は、地面とユニットベース５との間に、ユニットベース５に手を掛けるための空間を形成する溝（切り欠き）である。取手溝５１は、図２及び図４に示すように、ユニットベース５の互いに対向する側面に形成されている。なお、取手溝５１は、ユニットベース５の側面に複数設けられても良いし、ユニットベース５の側面且つ給水装置１の重心を通る直線上の対向する位置に設けてもよい。
【００３５】
ポンプケーシング３０には、図５に示すように、搬送補助手段としての搬送用治具取付部８０が設けられている。搬送用治具取付部８０は、ポンプケーシング３０の上部に設けられており、本実施形態では、ポンプケーシング３０の上面３０ｃに設けられている。なお、ここで言うポンプケーシング３０の上部とは、ポンプケーシング３０の全高を高さ方向で三等分したときの最も上の部分のことを言い、ポンプケーシング３０の上面３０ｃに限らず、正面３０ｂ１、背面３０ｂ２及び側面であってもよい。
【００３６】
本実施形態の搬送用治具取付部８０は、円筒状に形成され、ポンプケーシング３０の上面３０ｃに立設している。搬送用治具取付部８０は、その円筒状の内側孔部に、搬送用治具９０が着脱可能に取り付けられるネジ部８１を有している。この搬送用治具取付部８０は、図３に示すように、ポンプケーシング３０と一体で形成されており、その内側孔部は、ポンプケーシング３０の内部流路３２とは連通していない。搬送用治具取付部８０は、羽根車２０の略直上に配置され、ポンプケーシング３０の左右幅方向の略中央位置に配置されている。
【００３７】
ポンプケーシング３０は、例えば、銅合金製の鋳物であり、他の主要な構成部品（電動機３、インバータ装置４、ユニットベース５）よりも重量及び強度がある。搬送用治具取付部８０は、図５に示すように、ポンプケーシング３０の正面３０ｂ１の補強リブ３０ａなどと同じように、例えば鋳造等によりポンプケーシング３０の一部として、ポンプケーシング３０と一体で形成され、ネジ部８１を後加工することにより形成されている。なお、補強リブ３０ａは、二本の横リブ３０ａ１と、二本の縦リブ３０ａ２とが略直交する形状に形成されている。この補強リブ３０ａは、ポンプケーシング３０の上部の正面３０ｂ１に設けられ、図３に示す気水分離室３３などを補強している。なお、補強リブ３０ａなどによって、ポンプケーシング３０は、羽根車２０で加圧された搬送液の圧力に耐えうる強度が確保できれば、ポンプケーシング３０は合成樹脂製であってもよい。
【００３８】
図５に示すように、本実施形態の搬送用治具９０は、ポンプケーシング３０とは別体で設けられ、搬送用治具取付部８０に螺合可能なネジ部９１を有する。この搬送用治具９０は、被吊具であり、フックやワイヤー、または作業者の指などを掛けることが可能なアイボルトから形成することが好ましい。搬送用治具９０は、図３に示すように、搬送用治具取付部８０に取り付けられた状態では、呼び水栓３９よりも高い位置に配置されるため、搬送用治具取付部８０に対する搬送用治具９０の取り付けや取り外しの作業を行う時に呼び水栓３９と干渉しない。また、搬送用治具９０が取り外されると、図１に示すように、搬送用治具取付部８０の上端は、呼び水栓３９よりも低くなっているため、ユニットカバー６と干渉することはない。
【００３９】
続いて、上記構成の給水装置１の作用（持ち運び方）について説明する。
【００４０】
図１に示す窪み１０１などの狭隘部に給水装置１を設置する場合には、先ず、窪み１０１の外で、給水装置１からユニットカバー６（図２参照）を取り外す。ユニットカバー６を取り外したら、ポンプケーシング３０の上部の搬送用治具取付部８０に、図５に示すように、搬送用治具９０を取り付ける。搬送用治具９０を取り付けたら、ポンプケーシング３０を持ち上げて（吊り上げて）、窪み１０１の上まで持ち運び、ポンプケーシング３０と共にユニットベース５を窪み１０１の底部まで下す。ユニットベース５が窪み１０１の底部に接地したら、搬送用治具９０をポンプケーシング３０から取り外す。その後、給水源１０２や蛇口１０４などと配管を介して接続し、ユニットカバー６を被せることで、給水装置１の設置が完了する。
【００４１】
本実施形態の給水装置１によれば、図４に示すように、電動機３がポンプ２のポンプケーシング３０に接続され、ポンプケーシング３０とインバータ装置４がユニットベース５を介して接続されているため、ポンプケーシング３０を中心に主要な部品が接続されている。よって、このポンプケーシング３０に搬送用治具取付部８０を設け、搬送用治具９０を取り付けることで、ポンプケーシング３０を中心として装置全体を持ち運ぶことができる。ポンプケーシング３０は、ユニットベース５よりも高い位置にあるため、従来の様に取手溝５１に手をかけて持ち運ぶことに比べて、搬送用治具９０には手を掛けることが容易であり、更には、給水装置１を設置する際には地面との間で指先を挟む心配がない。また、ポンプケーシング３０は、液体を加圧する羽根車２０を収納するポンプ室３１を形成する耐圧部材であり、その強度は、持ち運びの際に装置全体を十分に支えることができる。
【００４２】
また、本実施形態では、図２に示すように、搬送用治具取付部８０が、ポンプケーシング３０の上部に設けられている。ポンプケーシング３０の上部は、装置全体としての上部であるため、持ち運びの際に、ユニットベース５よりも簡単に搬送用治具取付部８０にアクセスでき、搬送用治具９０を取り付けることが可能である。
また、搬送用治具取付部８０は、図５に示すように、搬送用治具９０が着脱可能に取り付けられるネジ部８１を有しているため、搬送用治具９０の着脱が容易になり、例えば、取り外した搬送用治具９０を、他の給水装置１の持ち運びに使い回すことができる。また、図２に示すように、ユニットカバー６を取り付ける場合には、ポンプケーシング３０から搬送用治具９０を取り外すことで、ユニットカバー６との干渉を回避することができる。
【００４３】
このように、上述の本実施形態によれば、液体を加圧するポンプ２と、ポンプ２を駆動する電動機３と、ポンプ２を制御するインバータ装置４と、を有し、電動機３は、ポンプ２のポンプケーシング３０に接続され、ポンプケーシング３０とインバータ装置４が、ユニットベース５を介して接続されている給水装置１であって、ポンプケーシング３０に、搬送用治具９０が螺合可能な搬送用治具取付部８０を有する搬送補助手段が設けられている、という構成を採用することによって、狭隘部における給水装置１の持ち運びが容易になる。
【００４４】
以上、本発明の好ましい実施形態を記載し説明してきたが、これらは本発明の例示的なものであり、限定するものとして考慮されるべきではないことを理解すべきである。追加、省略、置換、およびその他の変更は、本発明の範囲から逸脱することなく行うことができる。従って、本発明は、前述の説明によって限定されていると見なされるべきではなく、特許請求の範囲によって制限されている。
【００４５】
例えば、本発明の実施形態の一態様として、以下のような変形例を採用し得る。なお、以下の説明において、上述の実施形態と同一又は同等の構成については同一の符号を付し、その説明を簡略若しくは省略する。
【００４６】
図６は、一実施形態の給水装置１の変形例に係る給水装置１Ａのポンプケーシング３０の内部構造を示す縦断面図である。図７は、図６に示すポンプケーシング３０の上部の構成を示す正面側斜視図である。
図６に示す給水装置１Ａでは、ポンプケーシング３０に搬送用治具取付部８０を追加することなく、ポンプケーシング３０の一部である呼び水口３８に呼び水栓兼搬送用治具９０Ａ（搬送補助手段）が設けられている。
【００４７】
呼び水口３８には、呼び水栓３９（図３参照）が螺合するネジ部が形成されている。呼び水栓兼搬送用治具９０Ａは、この呼び水口３８を利用してポンプケーシング３０に取り付けられている。呼び水栓兼搬送用治具９０Ａは、図６及び図７に示すように、Ｔ字型の搬送用冶具（Ｔ字型ハンドル）であり、呼び水口３８に螺合可能なネジ部９１Ａと、両手で把持することが可能な把持部９２Ａと、把持部９２Ａの中央にその上端部が接続され、その下端部にネジ部９１Ａが設けられたシャフト部９３Ａと、を有する。なお、把持部９２Ａは、平面視で十字型や円環型のハンドル形状であってもよい。
【００４８】
この構成によれば、ポンプケーシング３０に設けられた呼び水口３８に螺合する呼び水栓３９を取り外し、呼び水口３８に設けられたネジ部を利用して呼び水栓兼搬送用治具９０Ａを取り付けるため、ポンプケーシング３０に上述した搬送用治具取付部８０を追加する設計変更を加えることなく、ポンプケーシング３０を中心として装置全体を持ち運ぶことができる。また、この構成によれば、呼び水口３８に呼び水栓兼搬送用治具９０Ａのネジ部９１Ａを螺合させて取り付けており、呼び水口３８は、一般に、呼び水を注水できる程度の大きな径を有しているため、その呼び水口３８に螺合するネジ部９１Ａの径も大きくなり、呼び水栓兼搬送用治具９０Ａの強度の確保も容易になる。また、呼び水栓兼搬送用治具９０Ａを呼び水口３８に取り付けたままにして、呼び水栓兼搬送用治具９０Ａを呼び水栓３９として使用することができる。なお、この場合、ユニットカバー６を取り付けることができなくなることもあるが、図１に示すように、給水装置１が窪み１０１に設置され、その上方が板体１０１ａに覆われている場合には、ユニットカバー６は取り付けなくてもよい。
【００４９】
図８は、一実施形態の給水装置１の変形例に係る給水装置１Ｂのポンプケーシング３０の上部の構成を示す正面側斜視図である。図９は、図８に示すポンプケーシング３０の矢視Ａ−Ａ断面図である。
図８に示す給水装置１Ｂでは、搬送補助手段としての搬送用取手部９０Ｂがポンプケーシング３０に一体で形成されている。
【００５０】
搬送用取手部９０Ｂは、ポンプケーシング３０に一体で形成された取手である。この搬送用取手部９０Ｂは、図８に示すように、ポンプケーシング３０の正面３０ｂ１に形成されている。搬送用取手部９０Ｂは、補強リブ３０ａの二本の横リブ３０ａ１の上側の一本を拡張したような形状を有している。この搬送用取手部９０Ｂは、図９に示すように、正面３０ｂ１から離れるに従って下方に垂れ、その裏側の空間に指を掛けることが可能な構成となっている。なお、このような搬送用取手部９０Ｂは、ポンプケーシング３０の背面３０ｂ２に形成してもよく、また、ポンプケーシング３０の正面３０ｂ１と背面３０ｂ２の両方に形成してもよい。
【００５１】
この構成によれば、搬送用取手部９０Ｂが、強度が確保された耐圧部材であるポンプケーシング３０と一体に形成されているため、搬送用取手部９０Ｂの強度の確保が容易になる。また、この構成によれば、搬送用取手部９０Ｂが追加されることで、補強リブ３０ａ（横リブ３０ａ１）が拡張され、ポンプケーシング３０自体の強度も補強することができる。
【００５２】
図１０は、一実施形態の給水装置１の変形例に係る給水装置１Ｃを示す正面図である。
図１０に示す給水装置１Ｃでは、搬送補助手段としての紐接続搬送用治具９０Ｃが、ポンプケーシング３０に設けられている。紐接続搬送用治具９０Ｃは、搬送用治具取付部８０、取付部９１Ｃ、紐状部材９３Ｃ並びに把持部９２Ｃを有する。
【００５３】
紐状部材９３Ｃは、搬送用治具取付部８０に一体的に設けられた取付部９１Ｃと、作業者が片手で把持することが可能な紐接続搬送用治具９０Ｃの把持部９２Ｃとの間を接続している。本実施形態における搬送用治具取付部８０には、図５に示すネジ部８１に代えて、紐状部材９３Ｃが取り付け可能な取付部９１Ｃが設けられている。また、本実施形態の紐状部材９３Ｃは、チェーンであり、ポンプケーシング３０の上部から垂らしておくことが可能な構成となっている。なお、この紐状部材９３Ｃは、チェーンに限らず、ワイヤー、ロープ、その他の紐などであってもよいし、把持部９２Ｃは環状の形状に限らず十字型やＴ字型の形状でもよいし、紐状部材９３Ｃにて給水装置１を持ち運びができるのであれば、なくてもよい。
この構成によれば、ポンプケーシング３０から紐状部材９３Ｃを垂らしておくことで、装置全体の高さを出すことなく、ユニットカバー６を被せることができるため、紐接続搬送用治具９０Ｃを取り付けたままにすることができる。また、紐接続搬送用治具９０Ｃは、搬送用治具取付部８０と取付部９１Ｃとが螺合して着脱可能としてもよい。
【００５４】
なお、図４おいて符号１０で示す他の吐出し口１０が、例えば、ユニットベース５の裏側に配置された図示しない連結管（ポンプケーシング３０と同じ材料から形成されている）を介して吐出し口８の底部と連結されている場合には、ユニットベース５に穴をあけて、その穴を通して連結管に搬送用治具（例えば紐接続搬送用治具９０Ｃなど）を接続してもよい。
【００５５】
また、例えば、上述した実施形態において、ポンプケーシング３０には搬送補助手段として搬送用治具取付部８０と搬送用取手部９０Ｂの両方を有していてもよい。更には、搬送補助手段として搬送用治具取付部８０と搬送用治具９０、呼び水栓兼搬送用治具９０Ａ並びに紐接続搬送用治具９０Ｃの中から少なくとも二つを有していてもよい。
【００５６】
また、例えば、電動機３の向きは水平方向に限定されず、例えば、電動機３が略垂直方向（鉛直方向）に設置されるようなポンプ装置でも、また、ポンプ２の主軸が略水平方向に配置されるような横軸形ポンプのポンプ装置にも本発明を適用することができる。
【００５７】
また、例えば、上記実施形態では、給水装置１としてカスケードポンプを例示したが、本発明は、非容積ポンプ（遠心ポンプや軸流ポンプ等）に適用することができる。
【符号の説明】
【００５８】
１…給水装置
１Ａ…給水装置
１Ｂ…給水装置
１Ｃ…給水装置
２…ポンプ
３…電動機
４…インバータ装置
４ａ…冷却面
５…ユニットベース
６…ユニットカバー
７…吸込口
８…吐出し口
１０…吐出し口
２０…羽根車
２１…溝
３０…ポンプケーシング
３０ａ…補強リブ
３０ａ１…横リブ
３０ａ２…縦リブ
３０ｂ１…正面
３０ｂ２…背面
３０ｃ…上面
３１…ポンプ室
３２…内部流路
３２ａ…一端部
３２ｂ…他端部
３３…気水分離室
３３ａ…孔部
３４…吸込流路
３５…フローチェッキ弁
３６…接続流路
３７…バッフル
３８…呼び水口
３９…呼び水栓
４０…呼び水時水位
４１…吐出流路
４２…圧力センサ
４５…圧力タンク
５０…ポンプケーシングカバー
５１…取手溝
５１−１…取手溝
６０…電動機本体
６１…冷却ファン
６２…ファンカバー
６３…空気吸込孔
６４…第１空気吐出孔
６５…第２空気吐出孔
７０…放熱フィン
７１…放熱フィンベース
８０…搬送用治具取付部（搬送補助手段）
８１…ネジ部
９０…搬送用治具
９０Ａ…呼び水栓兼搬送用治具（搬送補助手段）
９０Ｂ…搬送用取手部（搬送補助手段）
９０Ｃ…紐接続搬送用治具（搬送補助手段）
９１…ネジ部
９１Ａ…ネジ部
９１Ｃ…取付部
９２Ａ…把持部
９２Ｃ…把持部
９３Ａ…シャフト部
９３Ｃ…紐状部材
１００…地表面
１０１ａ…板体
１０２…給水源
１０３…家屋
１０４…蛇口
【図１】
2019015232.tif 000003
【図２】
2019015232.tif 000004
【図３】
2019015232.tif 000005
【図４】
2019015232.tif 000006
【図５】
2019015232.tif 000007
【図６】
2019015232.tif 000008
【図７】
2019015232.tif 000009
【図８】
2019015232.tif 000010
【図９】
2019015232.tif 000011
【図１０】
2019015232.tif 000012
【図１１】
2019015232.tif 000013